(57)【要約】【課題】原稿の誤送信防止精度を格段に向上する。【解決手段】発呼端末から被呼端末宛に原稿を送信するに先立って、被呼端末を識別するための被呼端末識別画像３３を、被呼端末からポーリング受信し、受信した被呼端末識別画像３３を発呼端末側の操作表示部１７に表示させて、宛先の正誤をユーザに視認させるようにした。【選択図】  図３
2008141275.tif 000002
【特許請求の範囲】
【請求項１】
発呼端末から被呼端末宛に原稿を送信するに先立って、前記被呼端末を識別するための被呼端末識別画像を、当該被呼端末からポーリング受信し、当該受信した被呼端末識別画像を前記発呼端末側で提示させて、宛先の正誤をユーザに確認させることを特徴とするファクシミリ通信方法。
【請求項２】
請求項１記載のファクシミリ通信方法であって、
前記ポーリング受信後に回線を切断する
ことを特徴とするファクシミリ通信方法。
【請求項３】
被呼端末宛に原稿を送信する機能を有するファクシミリ装置であって、
前記被呼端末を識別するための被呼端末識別画像を、当該被呼端末からポーリング受信する通信手段と、
前記通信手段で受信した前記被呼端末識別画像を提示する提示手段と、
ユーザの選択操作に従って、前記被呼端末宛の原稿画像の送信を制御する通信制御手段と、
を備えて構成されることを特徴とするファクシミリ装置。
【請求項４】
請求項３記載のファクシミリ装置であって、
前記通信制御手段は、前記通信手段によるポーリング受信後に回線を切断する
ことを特徴とするファクシミリ装置。
【請求項５】
請求項３又は４に記載のファクシミリ装置であって、
前記被呼端末識別画像は、前記被呼端末が属する宛先の名称、商標、トレードマーク、肖像、又は入居建物の外観を含む
ことを特徴とするファクシミリ装置。
【発明の詳細な説明】
【技術分野】
【０００１】
本発明は、ポーリング通信機能を有するファクシミリ装置に係り、特に、原稿の誤送信防止精度を格段に向上することができるファクシミリ通信方法及びファクシミリ装置に関する。
【背景技術】
【０００２】
従来、発呼端末から被呼端末宛に原稿を送信するに先立って、被呼端末の識別番号と、宛先として入力されたダイヤル番号を比較し、これらが一致すれば宛先が正しいものとみなしてそのまま原稿を送信する一方、一致しなければ送信するか否かをユーザに選択させる技術が知られている（特許文献１，２）。かかる技術によれば、原稿の誤送信を未然に防止することができる。
【０００３】
しかしながら、上述した従来技術にあっては、ユーザが、本来の宛先とは異なるダイヤル番号を誤って入力してしまった場合には、かかる誤入力を未然にチェックすることはできないために、そのまま原稿が誤送信されてしまっていた。
【０００４】
【特許文献１】特開平７−３０６８１号公報
【特許文献２】特開平１１−８７４５号公報
【発明の開示】
【発明が解決しようとする課題】
【０００５】
解決しようとする問題点は、ユーザが本来の宛先とは異なるダイヤル番号を誤って入力してしまった場合には、かかる誤入力の有無をチェックすることはできないために、そのまま原稿が誤送信されてしまっていた点である。
【課題を解決するための手段】
【０００６】
本発明は、原稿の誤送信防止精度を格段に向上することを目的として、発呼端末から被呼端末宛に原稿を送信するに先立って、前記被呼端末を識別するための被呼端末識別画像を、当該被呼端末からポーリング受信し、当該受信した被呼端末識別画像を前記発呼端末側で提示させて、宛先の正誤をユーザに確認させることを最も主要な特徴とする。
【発明の効果】
【０００７】
本発明に係るファクシミリ通信方法によれば、発呼端末から被呼端末宛に原稿を送信するに先立って、前記被呼端末を識別するための被呼端末識別画像を、当該被呼端末からポーリング受信し、当該受信した被呼端末識別画像を前記発呼端末側で提示させて、宛先の正誤をユーザに確認させるようにしたので、従って、ユーザが本来の宛先とは異なるダイヤル番号を誤って入力してしまった場合であっても、かかる誤入力の有無を、被呼端末識別画像を視覚を介してチェックすることが可能となる結果として、原稿の誤送信防止精度を格段に向上することができる。
【発明を実施するための最良の形態】
【０００８】
原稿の誤送信防止精度を格段に向上するという目的を、発呼端末から被呼端末宛に原稿を送信するに先立って、被呼端末を識別するための被呼端末識別画像を、被呼端末からポーリング受信し、受信した被呼端末識別画像を発呼端末側で提示させて、宛先の正誤をユーザに確認させるファクシミリ通信方法により実現した。
【実施例】
【０００９】
［ファクシミリ装置］
図１は本発明に係るファクシミリ装置の概略構成を示し、図２は本発明に係るファクシミリ装置における操作パネル部の外観を示す。なお、本発明実施例において、発呼側のファクシミリ装置を発呼端末と言い、被呼側のファクシミリ装置を被呼端末と言う場合がある。また、本発明に係るファクシミリ装置の基本的な構成は、発呼端末及び被呼端末間で共通であるものとして以下の説明を進める。
【００１０】
図１に示すように、本発明に係るファクシミリ装置は、マイクロコンピュータ等から構成される主制御部１１によって制御される。この主制御部１１に接続される入出力機器として、ファクシミリ装置は、原稿画像を読み取る読取部１３、受信画像等を記録紙に記録する記録部（本発明における「提示手段」に相当）１５、原稿画像データを符号化データに変換し又は受信した符号化データを復号化して元の原稿画像データに再生する符号化／復号化部１６、ワンタッチダイヤル、短縮ダイヤルを含むダイヤル入力操作を行う際に用いられる一方で、被呼端末識別画像等を表示する操作表示部（本発明の「提示手段」を含む。）１７、プログラム、データ、送信又は受信に係る画像情報などの各種情報が記憶される記憶部１９、プログラマブルトーン送出及び検出機能を有するモデム２１、並びに、電話回線網にダイヤル信号を送出する等の網制御を行う網制御部（ＮＣＵ）２３を備えている。
【００１１】
被呼端末識別画像３３などを表示する操作表示部１７は、図２に示すように、タッチパネル部３１、及びテンキー３５、スタートキー３７、ストップ／クリアキー３９等から構成される操作キー部４１を含む。操作表示部１７は、ユーザがスキャナ機能、ファクシミリ機能、プリンタ機能、コピー機能等に関する操作を行うために使用され、ユーザによる意図を含む操作指令等を主制御部１１に与える。
【００１２】
タッチパネル部３１（本発明における「提示手段」に相当）は、タッチパネルとＬＣＤ（Liquid  Crystal  Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。また、タッチパネル部３１は、被呼端末より被呼端末識別画像３３をポーリング受信した時には、受信した被呼端末識別画像３３を表示する。被呼端末識別画像３３としては、発呼端末側において被呼端末を一意に識別可能な画像であれば、いかなるものを採用してもよい。具体的には、例えば、被呼端末が属する宛先の名称、商標、トレードマーク、肖像、電話番号、ＦＡＸ番号、名刺、若しくは入居建物の外観又はこれらの組み合わせを、被呼端末識別画像３３として適宜採用することができる。なお、本実施例では、図２に示すように、被呼端末識別画像３３として宛先の入居建物の外観を表す画像が、タッチパネル部３１に表示されている。従って、ユーザは、被呼端末識別画像３３を視認することで宛先の正誤を判別し、かかる判別結果に基づいて、原稿の送信処理を続行するか否かを、操作表示部１７を用いて操作入力することになる。
【００１３】
こうした入出力機器が接続された主制御部１１は、ファクシミリ送信の際に、ユーザによって宛先ダイヤル番号が入力される都度、被呼端末を一意に識別するための被呼端末識別画像３３を、被呼端末からポーリング受信し、受信した被呼端末識別画像３３を発呼端末のタッチパネル部３１に表示させて、宛先の正誤をユーザに確認させるように制御する。
【００１４】
［ファクシミリ通信手順］
図３の（１）〜（３）に、本実施例に係るファクシミリ装置における発呼端末から被呼端末宛に原稿を送信する際のファクシミリ通信手順を示す。
【００１５】
はじめに、発呼端末側の動作について、図３（１）を参照して説明する。ユーザは、送信用の原稿をセットするとともに、宛先のＦａｘ番号や送信原稿の解像度等を含むＦａｘ送信設定を行った後、スタートキー３７を押下する。すると、ファクシミリ送信に先立って、主制御部１１は、ＮＣＵ２３によって通信用の回線を接続させると共に（Ｓ１１）、ユーザが設定したＦａｘ番号にダイヤルして（Ｓ１２）、被呼端末の記憶部１９に予め蓄積されている、被呼端末を一意に識別するための被呼端末識別画像３３をポーリング受信し（Ｓ１３）、この受信後に、回線を切断する（Ｓ１４）。このとき、原稿はまだ送信していない。
【００１６】
主制御部１１は、ステップＳ１３で受信した被呼端末識別画像３３である、宛先の入居建物の外観を表す画像を、タッチパネル部３１に表示させる（Ｓ１５）。なお、被呼端末識別画像３３をユーザに提示するには、画像３３のパネル表示に代えて、記録部１５による記録紙への画像印刷を採用してもよい。また、ステップＳ１５のパネル表示に伴って、主制御部１１は、送信処理を続行するか否かに係る判断結果の選択的な操作入力をユーザに促すための画面を、タッチパネル部３１に表示させる。
【００１７】
ユーザは、被呼端末識別画像３３を視認することで宛先の正誤を判別し、かかる宛先正誤判別結果に基づいて、原稿の送信処理を続行するか又は中止するかを、操作表示部１７を用いて操作入力する。すなわち、ユーザは、上記の宛先正誤判別の結果、宛先が正しいと判別した場合には、送信続行の意志表示のために、例えばスタートキー３７を押下する一方で、宛先が誤っている蓋然性が高いと判別した場合には、送信中止の意志表示のために、例えばストップ／クリアキー３９を押下する。かかるキー操作入力を受けて、主制御部１１は、スタートキー３７が押下されたときには、入力設定された宛先が正しいとみなして、処理の流れをステップＳ１７へ進ませる一方で、ストップ／クリアキー３９が押下されたときには、入力設定された宛先が誤っているとみなして、Ｆａｘ送信処理を中途終了させる。
【００１８】
ステップＳ１７において、主制御部１１は、ＮＣＵ２３によって通信用の回線を接続させると共に（Ｓ１７）、ステップＳ１２でダイヤルした宛先に再びダイヤルして（Ｓ１８）、送信対象となる原稿画像を被呼端末宛に送信する（Ｓ１９）。そして、かかる送信処理が終了すると、主制御部１１は、ＮＣＵ２３によって回線を切断し（Ｓ２０）、Ｆａｘ送信処理を正常終了させる。
【００１９】
次に、被呼端末側の動作について、図３の（２）〜（３）を参照して説明する。
【００２０】
図３の（２）において、被呼端末における主制御部１１は、被呼の有無を監視しており（Ｓ２１）、被呼を検出したときには、発呼端末側からの要求に従って、被呼端末の記憶部１９に予め蓄積されている被呼端末識別画像３３をポーリング送信し（Ｓ２２）、この送信後に、回線を切断する（Ｓ２３）。このとき、原稿はまだ受信していない。なお、被呼端末の記憶部１９に、ITU-Tの国際標準規格に従ったFコードのサブアドレスを付与した被呼端末識別画像３３を蓄積しておき、こうした識別画像３３に基づいて発呼端末側で宛先の正誤を確認する態様を採用することもできる。この場合、発呼端末側において、Fコード通信モードを選択させるようにすればよい。
【００２１】
次いで、図３の（３）において、被呼端末における主制御部１１は、被呼の有無を監視しており（Ｓ３１）、被呼を検出したときには、発呼端末側からの要求に従って、発呼端末側から送信されてきた原稿画像を受信し（Ｓ３２）、この受信処理後に、回線を切断する（Ｓ３３）。
【００２２】
［実施例の効果］
以上述べたように、本発明実施例に係るファクシミリ装置によれば、発呼端末から被呼端末宛に原稿を送信するに先立って、被呼端末を識別するための被呼端末識別画像３３を、被呼端末からポーリング受信し、受信した被呼端末識別画像３３を発呼端末側の操作表示部１７に表示させて、宛先の正誤をユーザに視認させるようにしたので、従って、ユーザが本来の宛先とは異なるダイヤル番号を誤って入力してしまった場合であっても、かかる誤入力の有無を、被呼端末識別画像３３を視覚を介してチェックすることが可能となる結果として、原稿の誤送信防止精度を格段に向上することができる。
【００２３】
また、本実施例では、ステップＳ１３におけるポーリング受信後に、いったん回線を切断するように構成したので、回線の接続状態を維持する実施態様と比較して、通信制御プロトコルを簡素化することができる。ただし、ステップＳ１３におけるポーリング受信後に回線を切断することなく、回線の接続状態を維持する実施態様も、本発明の技術的範囲に含まれる。
【００２４】
そして、本実施例では、宛先の正誤をユーザに視覚を介して確認させるようにしたので、耳の不自由なユーザであっても、本発明に係る原稿の誤送信防止精度向上効果を享受することができる。
【００２５】
［その他］
本実施例では、上述の通信手順を、主制御部１１が所定のプログラムに従って入出力機器とデータ交換しながら実行する例をあげて説明したが、本発明はこの例に限定されることなく、主制御部１１の機能をハードウェアによって実現するように構成してもよいことは勿論である。
【００２６】
最後に、本発明は、上述した実施形態に限られるものではなく、請求の範囲及び明細書全体から読み取れる発明の要旨、あるいは技術思想に反しない範囲で適宜変更可能であり、そのような変更を伴うファクシミリ装置もまた、本発明における技術的範囲の射程に包含されるものである。
【図面の簡単な説明】
【００２７】
【図１】本発明に係るファクシミリ装置の概略構成を示すブロック図である。
【図２】本発明に係るファクシミリ装置における操作パネル部の外観図である。
【図３】本実施例に係るファクシミリ装置における発呼端末から被呼端末宛に原稿を送信する際のファクシミリ通信手順を示す図である。
【符号の説明】
【００２８】
１１  主制御部
１５  記録部（提示手段）
１６  符号化／復号化部
１７  操作表示部（提示手段）
１９  記憶部
２１  モデム
２３  網制御部
【図１】
2008141275.tif 000003
【図２】
2008141275.tif 000004
【図３】
2008141275.tif 000005